(57)【要約】      （修正有）【課題】杖としての機能を維持しつつ、かつ、傘の機能も持つ杖を提供する。【解決手段】杖１は、棒状本体１１、掴み部１２、及び、接地部１３を含む杖部と、上ろくろ２１、下ろくろ、複数の親骨２３、複数の受骨、及び、傘地２５を含む傘本体部とを含み、下ろくろを、上はじきと下はじき３２の間をスライドさせることにより傘部が開閉し、傘部が閉じているときは杖として、傘部が開いているときは傘として使用でき、１本で杖と傘の二つの機能を果たすことができる。【選択図】図１
0003220048.tif 000002
【実用新案登録請求の範囲】
【請求項１】
棒状本体、掴み部、及び、接地部を含み、
前記本体の一端に前記掴み部が配置され、前記本体の他端に前記接地部が配置され、
さらに、傘本体部を含み、
前記傘本体部は、上ろくろ、下ろくろ、複数の親骨、複数の受骨、及び、傘地を含み、
前記上ろくろは前記棒状本体の前記他端側に固定された状態で取り付けられ、
前記上ろくろに前記複数の親骨の一端が回動可能に固定され、前記複数の親骨の他端は、前記上ろくろから外部に向かって放射状に延びるように配置され、
前記複数の親骨に前記傘地が傘状となるように取り付けられ、
前記下ろくろは、前記棒状本体の前記上ろくろ取付位置よりも前記一端側に、前記棒状本体の軸方向に沿って移動可能な状態で取り付けられ、
前記下ろくろに前記複数の受骨の一端が回動可能に固定され、前記複数の受骨の各他端は、前記複数の親骨の前記一端側に回動可能に取り付けられ、
さらに、上はじき、及び、下はじきを含み、
前記棒状本体の前記下ろくろが移動可能な箇所において、前記上はじきは、前記棒状本体の他端側に取り付けられ、前記下はじきは、前記棒状本体の前記一端側に取り付けられている
ことを特徴とする杖。
【請求項２】
前記棒状本体の前記他端側において、前記上ろくろ取付箇所から前記棒状本体の他端までの間が長さ調節領域であり、前記長さ調節領域の長さを変えることによって、杖の使用者の状況に応じて、杖の長さを変更可能であることを特徴とする請求項１記載の杖。
【請求項３】
さらに、滑り止めキャップを含み、
前記滑り止めキャップが、前記棒状本体の他端に装着されていることを特徴とする請求項１又は２記載の杖。
【請求項４】
前記掴み部の形状は、略Ｔ字状であることを特徴とする請求項１から３のいずれか一項に記載の杖。
【請求項５】
さらに、リング状の紐部を含み、前記紐部の一部が、前記掴み部に取り付けられていることを特徴とする請求項１から４のいずれか一項に記載の杖。
【考案の詳細な説明】
【技術分野】
【０００１】
本考案は、傘としても使用可能な杖に関する。
【背景技術】
【０００２】
従来から、高齢者等の歩行困難者の歩行を助ける道具として杖が使用されている。下記の先行特許文献は、杖を使用しない時には、自立させることが可能な杖が開示されている。一方、雨又は日差しを避けるために、傘が一般的に用いられる。
【先行技術文献】
【特許文献】
【０００３】
【特許文献１】特許第６３７１９３９号公報
【考案の概要】
【考案が解決しようとする課題】
【０００４】
このように、杖は、使用者にとって必要品であり、外出時には、常に持ち歩くことになる。一方、雨の時又は日差しがきついときには、傘を持つ必要があるが、杖と傘の二本を持ち歩くことは、使用者において不便である。
【０００５】
そこで、本考案は、身体を支持する杖としての機能を維持しつつ、かつ、傘としての機能も併せ持つ杖を提供することを目的とする。
【課題を解決するための手段】
【０００６】
前記課題を解決するために、本考案は、
棒状本体、掴み部、及び、接地部を含み、
前記本体の一端に前記掴み部が配置され、前記本体の他端に前記接地部が配置され、
さらに、傘本体部を含み、
前記傘本体部は、上ろくろ、下ろくろ、複数の親骨、複数の受骨、及び、傘地を含み、
前記上ろくろは前記棒状本体の前記他端側に固定された状態で取り付けられ、
前記上ろくろに前記複数の親骨の一端が回動可能に固定され、前記複数の親骨の他端は、前記上ろくろから外部に向かって放射状に延びるように配置され、
前記複数の親骨に前記傘地が傘状となるように取り付けられ、
前記下ろくろは、前記棒状本体の前記上ろくろ取付位置よりも前記一端側に、前記棒状本体の軸方向に沿って移動可能な状態で取り付けられ、
前記下ろくろに前記複数の受骨の一端が回動可能に固定され、前記複数の受骨の各他端は、前記複数の親骨の前記一端側に回動可能に取り付けられ、
さらに、上はじき、及び、下はじきを含み、
前記棒状本体の前記下ろくろが移動可能な箇所において、前記上はじきは、前記棒状本体の他端側に取り付けられ、前記下はじきは、前記棒状本体の前記一端側に取り付けられている
ことを特徴とする。
【考案の効果】
【０００７】
本考案の杖によれば、杖及び傘の機能を併せ持つため、外出時には、本考案の杖を持っておればよく、大変便利である。
【図面の簡単な説明】
【０００８】
【図１】図１は、本考案の一例の杖の下方からみた斜視図（開いた状態）である。
【図２】図２は、本考案の一例の杖の上方から見た斜視図（開いた状態）である。
【図３】図３は、本考案の一例の杖の側面図（閉じた状態）である。
【図４】図４は、本考案の一例の杖の使用の状態を説明する説明図である。
【考案を実施するための形態】
【０００９】
本考案は、前記棒状本体の前記他端側において、前記上ろくろ取付箇所から前記棒状本体の他端までの間が長さ調節領域であり、前記長さ調節領域の長さを変えることによって、杖の使用者の状況に応じて、杖の長さを変更可能であるという態様であってもよい。この態様によれば、使用者の状況、例えば、身長、腰の曲がり具合等に応じて、適切な長さに杖を調節できる。長さの調整方法は、特に制限されず、例えば、前記長さ調節領域のカット、長さ調節領域を数段階の差し込みパイプで構成して、パイプの数で長さを調節する方法等がある。
【００１０】
本考案は、さらに、滑り止めキャップを含み、前記滑り止めキャップが、前記棒状本体の他端に装着されている態様であってもよい。
【００１１】
本考案において、前記掴み部の形状は、略Ｔ字状であってよい。前記掴み部が略Ｔ字状であれば、しっかりと杖を掴むことができ、転倒等を防止できる。
【００１２】
本考案において、リング状の紐部を含み、前記紐部の一部が、前記掴み部に取り付けられている態様であってもよい。紐部があれば、使用時に紐を手首に通しておけば、杖が離れることが防止され、使用しないときは、壁のフックなどに引っ掛けておくことができる。
【００１３】
以下、本考案の杖について、図１から図４に基づき説明する。図１から図４において、同一部分には同一符号を付している。
【００１４】
図１から図４に示すように、本例の杖１は、棒状本体１１と、掴み部１２と、接地部１３とから構成されている。掴み部１２は、掴みやすいように、略Ｔ字状の形態をしており、棒状本体１１の一端（同図において上端）に配置されている。接地部１３は、棒状本体１１の他端（同図において下端）に配置されている。接地部１３には、滑り止めの目的及び地面からの衝撃の緩和の目的で、ゴム等から形成されたキャップを嵌めてもよい。また、図示していないが、掴み部１２には、リング状の紐部の一端を取り付けてもよい。リング状の紐部を掴み部１２に取り付ければ、リング状の紐部に手を通すことで、杖が手から離れることを防止でき、使用しないときは、壁のフック等に引っ掛けて収容することができる。
【００１５】
また、本例の杖１は、さらに、傘本体部２０を含み、前記傘本体部２０は、上ろくろ２１、下ろくろ２２、複数の親骨２３、複数の受骨２４、及び、傘地２５を含む。
【００１６】
上ろくろ２１は、棒状本体１１の前記他端側に固定された状態で取り付けられ、上ろくろ２１に複数の親骨２３の一端が回動可能に固定され、前記複数の親骨２３の他端は、前記上ろくろ２１から外部に向かって放射状に延びるように配置されている。また、複数の親骨２３に前記傘地２５が傘状となるように取り付けられている。
【００１７】
下ろくろ２２は、棒状本体の上ろくろ２１取付位置よりも一端側に、棒状本体１１の軸方向に沿って移動可能な状態で取り付けられ、下ろくろ２２に、複数の受骨２４の一端が回動可能に固定され、複数の受骨２４の各他端は、前記複数の親骨２３の前記一端側に回動可能に取り付けられている。
【００１８】
さらに、棒状本体１１には、上はじき３１、及び、下はじき３２が取り付けられている。上はじき３１は、棒状本体の下ろくろ２２が移動可能な箇所において、前記棒状本体１１の他端側に取り付けられ、下はじき３２は、前記棒状本体１１の前記一端側に取り付けられている。
【００１９】
本例の杖１は、傘本体部２０と、上はじき３１及び下はじき３２により、傘としての機能を持つ。すなわち、図３に示すように、傘が閉じているときは、下ろくろ２２が、棒状本体１１の下はじき３２と係合して固定されている。傘地２５には、バンド２６が取り付けられていても良く、傘が閉じているときには、バンド２６によって傘部をまとめることができる。なお、図４は、閉じている状態で杖として使用している状態を示す説明図である。
【００２０】
そして、図１及び図２に示すように、傘として使用するときは、手動で下はじき３２の係合を解除し、下ろくろ２２を棒状本体の軸方向にしたがって他端側に移動（スライド）させることにより、親骨２３と受骨２４が開いて傘となる。
【００２１】
本例の傘は、雨傘及び日傘として使用でき、又は、舞踏用の傘としても使用できる。
【符号の説明】
【００２２】
１      杖
１１    棒状本体
１２    掴み部
１３    接地部
２０    傘本体部
２１    上ろくろ
２２    下ろくろ
２３    親骨
２４    受骨
２５    傘地
２６    バンド
３１    上はじき
３２    下はじき
【図１】
0003220048.tif 000003
【図２】
0003220048.tif 000004
【図３】
0003220048.tif 000005
【図４】
0003220048.tif 000006